(57)【要約】【目的】シャワー状の浄水とストレート状の浄水の両方を使用することが可能な構成としつつ、使い勝手を向上することが可能な浴用浄水器システムを提供する。【構成】原水が供給される給水口２２、シャワー接続口２４及び給水口２２から供給される原水を浄水にする浄水機構３０を有する浴用浄水器１０と、シャワー接続口２２に接続されるシャワーホース６０と、シャワーホース６０の端部に接続されるシャワーヘッド７０とを備える浴用浄水器システム１。シャワーヘッド７０は、浴用浄水器１０からの水をシャワー状にして吐出するためのシャワー吐出口と、浴用浄水器１０からの水をストレート状にして吐出するためのストレート吐出口と、浴用浄水器１０からの水の経路をシャワー吐出口又はストレート吐出口のいずれか一方に切り換えるための吐出形態切換機構とを有する。【選択図】図１
0003135351.tif 000002
【実用新案登録請求の範囲】
【請求項１】
原水が供給される給水口、シャワー接続口及び前記給水口と前記シャワー接続口との間の経路に配置され前記給水口から供給される原水を浄水にする浄水機構を有する浴用浄水器と、
前記シャワー接続口に接続されるシャワーホースと、
前記シャワーホースの端部に接続されるシャワーヘッドとを備える浴用浄水器システムであって、
前記シャワーヘッドは、前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換えるための吐出形態切換機構とを有することを特徴とする浴用浄水器システム。
【請求項２】
請求項１に記載の浴用浄水器システムにおいて、
前記浴用浄水器は、前記給水口から供給される原水を前記浄水機構を通過させて浄水の状態で前記シャワーホースに送るための浄水経路と、前記給水口から供給される原水を原水のままの状態で前記シャワーホースに向けて送るための原水経路との２系統の経路を備える浴用浄水器であって、前記浄水経路及び前記原水経路並びに前記シャワー接続口に接続され、前記浴用浄水器内を通る水の経路を前記浄水経路又は前記原水経路のいずれか一方に切り換える導水経路切換機構をさらに有することを特徴とする浴用浄水器システム。
【請求項３】
請求項１又は２に記載の浴用浄水器システムにおいて、
前記シャワーヘッドを所定姿勢で固定するためのシャワーヘッド固定具をさらに備え、
前記シャワーヘッド固定具は、浴室壁面、浴槽内壁面、浴槽縁天面及び浴槽外壁面のいずれに取り付けたときにも、前記シャワーヘッドからの水が浴槽内に注がれるように前記シャワーヘッドの姿勢を調整可能に構成されていることを特徴とする浴用浄水器システム。
【請求項４】
請求項３に記載の浴用浄水器システムにおいて、
前記シャワーヘッド固定具は、浴室壁面、浴槽内壁面、浴槽縁天面及び浴槽外壁面のいずれに取り付けたときにも、前記シャワーヘッドのヘッド面中心における法線が鉛直方向に対して６０度以内の角度となるように、前記シャワーヘッドの姿勢を調整可能に構成されていることを特徴とする浴用浄水器システム。
【請求項５】
請求項３又は４に記載の浴用浄水器システムにおいて、
前記シャワーヘッド固定具は、１つの回動軸を有することを特徴とする浴用浄水器システム。
【請求項６】
請求項３又は４に記載の浴用浄水器システムにおいて、
前記シャワーヘッド固定具は、所定間隔をもって離隔して配置された２つの回動軸を有することを特徴とする浴用浄水器システム。
【請求項７】
請求項３又は４に記載の浴用浄水器システムにおいて、
前記シャワーヘッド固定具は、所定の剛性を有し屈曲自在なフレキシブル部を有することを特徴とする浴用浄水器システム。
【請求項８】
請求項３〜７のいずれかに記載の浴用浄水器システムにおいて、
前記シャワーヘッド固定具は、浴室壁面、浴槽内壁面、浴槽縁天面又は浴槽外壁面に取り付けるための吸盤部をさらに有することを特徴とする浴用浄水器システム。
【請求項９】
請求項３〜８のいずれかに記載の浴用浄水器システムにおいて、
前記シャワーヘッド固定具は、前記シャワーヘッドの一部を弾性力で把持することにより、前記シャワーヘッドを所定姿勢で固定可能とする把持部をさらに有することを特徴とする浴用浄水器システム。
【請求項１０】
請求項１〜９のいずれかに記載の浴用浄水器システムにおいて、
前記浄水経路には、浄水カートリッジ又は浄活水カートリッジが設置されていることを特徴とする浴用浄水器システム。
【請求項１１】
原水が供給される給水口、シャワー接続口及び前記給水口と前記シャワー接続口との間の経路に配置され前記給水口から供給される原水を浄水にする浄水機構を有する浴用浄水器と、
前記シャワー接続口に接続されるシャワーホースと、
前記シャワーホースの端部に接続されるシャワーヘッドとを備える浴用浄水器システムに用いるシャワーヘッドであって、
前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換える吐出形態切換機構とを有することを特徴とするシャワーヘッド。
【請求項１２】
原水が供給される給水口、シャワー接続口及び前記給水口と前記シャワー接続口との間の経路に配置され前記給水口から供給される原水を浄水にする浄水機構を有する浴用浄水器と、
前記シャワー接続口に接続されるシャワーホースと、
前記シャワーホースの端部に接続されるシャワーヘッドと、
前記シャワーヘッドを所定姿勢で固定するためのシャワーヘッド固定具とを備え、
前記シャワーヘッドが、前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換えるための吐出形態切換機構とを有する浴用浄水器システムに用いるシャワーヘッド固定具であって、
浴室壁面、浴槽内壁面、浴槽縁天面及び浴槽外壁面のいずれに取り付けたときにも、前記シャワーヘッドからの水が浴槽内に注がれるように前記シャワーヘッドの姿勢を調整可能に構成されていることを特徴とするシャワーヘッド固定具。
【請求項１３】
請求項１２に記載のシャワーヘッド固定具において、
浴室壁面、浴槽内壁面、浴槽縁天面及び浴槽外壁面のいずれに取り付けたときにも、前記シャワーヘッドのヘッド面中心における法線が鉛直方向に対して６０度以内の角度となるように、前記シャワーヘッドの姿勢を調整可能に構成されていることを特徴とするシャワーヘッド固定具。
【請求項１４】
請求項１２又は１３に記載のシャワーヘッド固定具において、
１つの回動軸を有することを特徴とするシャワーヘッド固定具。
【請求項１５】
請求項１２又は１３に記載のシャワーヘッド固定具において、
所定間隔をもって離隔して配置された２つの回動軸を有することを特徴とするシャワーヘッド固定具。
【請求項１６】
請求項１２又は１３に記載のシャワーヘッド固定具において、
所定の剛性を有し屈曲自在なフレキシブル部を有することを特徴とするシャワーヘッド固定具。
【請求項１７】
請求項１２〜１６のいずれかに記載のシャワーヘッド固定具において、
浴室壁面、浴槽内壁面、浴槽縁天面又は浴槽外壁面に取り付けるための吸盤部をさらに有することを特徴とするシャワーヘッド固定具。
【請求項１８】
請求項１２〜１７のいずれかに記載のシャワーヘッド固定具において、
前記シャワーヘッドの一部を弾性力で把持することにより、前記シャワーヘッドを所定姿勢で固定可能とする把持部をさらに有することを特徴とするシャワーヘッド固定具。
【考案の詳細な説明】
【技術分野】
【０００１】
本考案は、浴用浄水器システム、シャワーヘッド及びシャワーヘッド固定具に関する。
【背景技術】
【０００２】
近年、健康や美容に関する意識が高まってきており、飲料水だけではなく、浴室等で使用する水又は湯（以下、水と省略する。）についても、残留塩素等を取り除いたいわゆる浄水を使用したいという要望がある。このような要望に応えるものとして、従来、浴用浄水器を備える浴用浄水器システムが提案されている（例えば、特許文献１参照。）。
【０００３】
従来の浴用浄水器システムは、浴用浄水器と、浴用浄水器に接続されるシャワーホースと、シャワーホースの端部に接続されるシャワーヘッドと、浴槽に給水するための給水ホースと、給水ホースの端部に接続される吐水部とを備える。また、浴用浄水器は、原水が供給される給水口と、給水口から供給される原水を浄水にする浄水機構と、シャワーホースが接続されるシャワー接続口と、給水ホースが接続される給水ホース接続口と、浄水機構からの浄水をシャワーホース又は給水ホースのいずれに向けて送るか切り換えるためのバルブとを有する。
【０００４】
従来の浴用浄水器システムにおいては、身体を洗ったり洗髪したりするときなど、シャワー状の浄水を使用したい場合には、バルブをシャワーホース側に切り換えることにより、シャワー状の浄水を使用することができる。また、浴槽に湯を張るときなど、ストレート状の浄水を使用したい場合には、バルブを給水ホース側に切り換えることにより、ストレート状の浄水を使用することができる。
【０００５】
【特許文献１】特開２００４−１４３６６１号公報
【考案の開示】
【考案が解決しようとする課題】
【０００６】
しかしながら、従来の浴用浄水器システムにおいては、浴用浄水器にはシャワーホースと給水ホースの２本のホースが接続されているため、一方のホースを使用する際に他方のホースの存在が邪魔になってしまい、使い勝手が良くないという問題がある。特に、浴室という、限られたスペースしか確保できない場所においては、この問題により浴用浄水器システムを使用する者が受ける不利益は大きい。
【０００７】
そこで、本考案は、上記の問題を解決するためになされたもので、シャワー状の浄水とストレート状の浄水の両方を使用することが可能な構成としつつ、使い勝手を向上することが可能な浴用浄水器システムを提供することを目的とする。また、このような浴用浄水器に好適に使用することが可能なシャワーヘッド及びシャワーヘッド固定具を提供することを目的とする。
【課題を解決するための手段】
【０００８】
本考案者は、上記目的を達成するため鋭意研究を重ねた結果、シャワーヘッドにシャワー吐出口及びストレート吐出口の２つの吐出口を設けるとともに、浴用浄水器からの水の経路をシャワー吐出口又はストレート吐出口のいずれか一方に切り換えるための吐出形態切換機構をさらに設ければ、シャワー状の浄水とストレート状の浄水の両方を使用することできる構成としながら、従来の浴用浄水器システムから給水ホースを無くすことができ、結果として、使い勝手を向上することが可能となることに想到し、本考案を完成させるに至った。
【０００９】
（１）すなわち、本考案の浴用浄水器システムは、原水が供給される給水口、シャワー接続口及び前記給水口と前記シャワー接続口との間の経路に配置され前記給水口から供給される原水を浄水にする浄水機構を有する浴用浄水器と、前記シャワー接続口に接続されるシャワーホースと、前記シャワーホースの端部に接続されるシャワーヘッドとを備える浴用浄水器システムであって、前記シャワーヘッドは、前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換えるための吐出形態切換機構とを有することを特徴とする。
【００１０】
このため、本考案の浴用浄水器システムによれば、上記の構成からなるシャワーヘッドを備えているため、身体を洗ったり洗髪したりするときなど、シャワー状の浄水を使用したい場合には、吐出形態切換機構を操作して浴用浄水器からの水の経路をシャワー吐出口の方に切り換えることにより、シャワー状の浄水を使用することができる。また、浴槽に湯を張るときなど、ストレート状の浄水を使用したい場合には、吐出形態切換機構を操作して浴用浄水器からの水の経路をストレート吐出口の方に切り換えることにより、ストレート状の浄水を使用することができる。
また、本考案の浴用浄水器システムによれば、従来の浴用浄水器システムのような給水ホースが無くても、ストレート状の浄水を使用することができる。つまり、従来の浴用浄水器システムにおける給水ホース側の吐水部が有していた機能（ストレート状の浄水を吐出する機能）とシャワーヘッドが有していた機能（シャワー状の浄水を吐出する機能）とを、シャワーヘッドに集約させて、従来の浴用浄水器システムにあった給水ホースを無くすことができるため、従来の浴用浄水器システムのように一方のホースを使用する際に他方のホースの存在が邪魔になることもない。その結果、使い勝手を向上することが可能となる。
【００１１】
なお、本考案の浴用浄水器システムにおいては、吐出形態切換機構として、例えば、シャワーヘッドのヘッド部を回転することにより浴用浄水器からの水の経路をシャワー吐出口又はストレート吐出口のいずれか一方に切り換える機構や、切換レバー又は切換ボタンを操作することにより浴用浄水器からの水の経路をシャワー吐出口又はストレート吐出口のいずれか一方に切り換える機構などを用いることができるが、これらいずれの機構を用いた場合であっても、吐出形態を切り換える作業が煩雑になることもなく、シャワーヘッドに吐出形態切換機構を設けたことによって使い勝手が悪くなってしまうこともない。
【００１２】
したがって、本考案の浴用浄水器システムは、シャワー状の浄水とストレート状の浄水の両方を使用することが可能な構成としつつ、使い勝手を向上することが可能な浴用浄水器システムとなる。
【００１３】
また、本考案の浴用浄水器システムによれば、給水ホースを無くすことができるため、従来の浴用浄水器システムの場合よりも製造コストを低減することが可能となるという効果もある。
【００１４】
（２）本考案の浴用浄水器システムにおいては、前記浴用浄水器は、前記給水口から供給される原水を前記浄水機構を通過させて浄水の状態で前記シャワーホースに送るための浄水経路と、前記給水口から供給される原水を原水のままの状態で前記シャワーホースに向けて送るための原水経路との２系統の経路を備える浴用浄水器であって、前記浄水経路及び前記原水経路並びに前記シャワー接続口に接続され、前記浴用浄水器内を通る水の経路を前記浄水経路又は前記原水経路のいずれか一方に切り換える導水経路切換機構をさらに有することが好ましい。
【００１５】
このように構成することにより、シャワー状の浄水及びストレート状の浄水を使用することができるのに加え、シャワー状の原水及びストレート状の原水を使用することができ、使用用途に幅広く応じることが可能で使い勝手の良い浴用浄水器システムとなる。
【００１６】
ところで、従来、シャワーヘッドの内部に浄水機構が配設されるとともに、シャワーヘッド内に浄水経路及び原水経路が設けられ、シャワーヘッドから吐出する水の形態をシャワー状又はストレート状に切り換えるための吐出形態切換機構と、シャワーヘッドから吐出する水の種類を浄水又は原水にするためにシャワーヘッドを通過する水の経路を浄水経路又は原水経路に切り換える導水経路切換機構との２つの切換機構を備えるシャワーヘッドが知られている（例えば、特開２００１−１６９９５３号公報参照。）。
このような構成からなるシャワーヘッドを従来の浴用浄水器システムに用いた場合、シャワー状の浄水及びストレート状の浄水を使用することができるのに加え、シャワー状の原水及びストレート状の原水を使用することができるが、シャワーヘッド内に浄水機構と２つの切換機構とが設けられていることから、シャワーヘッドの重量が重くなってしまい、使用者（特に女性や子供）にとって扱いづらいものとなってしまう。また、シャワーヘッド内に２つの切換機構が設けられていることから、シャワーヘッドの構造が比較的複雑になり、製造コストが高くなってしまう。また、使い勝手の良さの観点からするとシャワーヘッドの大きさには制限があるため、浄化機構を配設するスペースが限定されてしまい、所定の浄化能力を発揮することができない可能性もある。
【００１７】
これに対し、本考案の浴用浄水器システムによれば、上述したように、シャワーヘッドに浄水機構が配設されておらず、シャワーヘッドに吐出形態切換機構が設けられ、浴用浄水器に導水経路切換機構が設けられているため、シャワーヘッドの重量を軽くすることができ、使用者にとっての扱いづらさを軽減することが可能となる。また、シャワーヘッドには１つの切換機構（吐出形態切換機構）しか設けられていないことから、構造が複雑になることもなくなり、製造コストを低減することが可能となる。また、シャワーヘッドにではなく浴用浄水器内に浄水機構が配設されているため、所定の浄化能力を発揮することが可能となる。
【００１８】
（３）本考案の浴用浄水器システムにおいては、前記シャワーヘッドを所定姿勢で固定するためのシャワーヘッド固定具をさらに備え、前記シャワーヘッド固定具は、浴室壁面、浴槽内壁面、浴槽縁天面及び浴槽外壁面のいずれに取り付けたときにも、前記シャワーヘッドからの水が浴槽内に注がれるように前記シャワーヘッドの姿勢を調整可能に構成されていることが好ましい。
【００１９】
浴室内に設けられた既存のシャワーヘッド係止具にシャワーヘッドを係止させた場合、シャワーヘッド係止具と浴槽との位置関係によってはシャワーヘッドからの水が浴槽内に正しく注がれないこともある。しかしながら、本考案の浴用浄水器システムによれば、浴室壁面、浴槽内壁面、浴槽縁天面又は浴槽外壁面にシャワーヘッド固定具を取り付けてシャワーヘッドを所定姿勢で固定することにより、シャワーヘッド係止具と浴槽との位置関係によらず、シャワーヘッドからの水を浴槽内に正しく注ぐことが可能となる。
【００２０】
（４）本考案の浴用浄水器システムにおいては、前記シャワーヘッド固定具は、浴室壁面、浴槽内壁面、浴槽縁天面及び浴槽外壁面のいずれに取り付けたときにも、前記シャワーヘッドのヘッド面中心における法線が鉛直方向に対して６０度以内の角度となるように、前記シャワーヘッドの姿勢を調整可能に構成されていることが好ましい。
【００２１】
本考案の浴用浄水器システムにおいて、吐出形態切換機構によってシャワーヘッドから吐出される水の形態をストレート状にして浴槽に湯を張る場合、仮に、浴槽縁天面に取り付けたときに、シャワーヘッドのヘッド面中心における法線が鉛直方向に対して６０度を超える角度となるようにシャワーヘッドを固定すると、水流を弱くしなければシャワーヘッドからの水が浴槽の外に出てしまい、非常に使い勝手の悪い浴用浄水器システムとなりかねない。
これに対し、本考案の浴用浄水器システムによれば、上記の構成からなるシャワーヘッド固定具を備えるため、浴室壁面、浴槽内壁面、浴槽縁天面及び浴槽外壁面のいずれに取り付けたときにも、シャワーヘッドから出る水の向きを比較的下方向にすることができ、シャワーヘッドからの水が浴槽の外に出てしまうのを抑制することが可能となる。その結果、使い勝手を向上することが可能となる。
【００２２】
（５）〜（７）本考案の浴用浄水器システムにおいては、前記シャワーヘッド固定具は、１つの回動軸を有することが好ましく、所定間隔をもって離隔して配置された２つの回動軸を有すること又は所定の剛性を有し屈曲自在なフレキシブル部を有することがより好ましい。
【００２３】
このように構成することにより、シャワーヘッド固定具を浴室壁面、浴槽内壁面、浴槽縁天面及び浴槽外壁面のいずれに取り付けたときにも、シャワーヘッドからの水が浴槽内に正しく注がれるようにシャワーヘッドの姿勢を比較的容易に調整することが可能となる。
【００２４】
なお、シャワーヘッド固定具が２つの回動軸を有する場合及び上述のフレキシブル部を有する場合は、シャワーヘッド固定具が１つの回動軸を有する場合に比べ、シャワーヘッドの姿勢をさらに容易に調整することが可能となる。
【００２５】
（８）本考案の浴用浄水器システムにおいては、前記シャワーヘッド固定具は、浴室壁面、浴槽内壁面、浴槽縁天面又は浴槽外壁面に取り付けるための吸盤部をさらに有することが好ましい。
【００２６】
このように構成することにより、シャワーヘッド固定具を比較的容易に着脱することができるため、浴室壁面、浴槽内壁面、浴槽縁天面及び浴槽外壁面における希望する位置にシャワーヘッドを固定することが可能となる。
【００２７】
（９）本考案の浴用浄水器システムにおいては、前記シャワーヘッド固定具は、前記シャワーヘッドの一部を弾性力で把持することにより、前記シャワーヘッドを所定姿勢で固定可能とする把持部をさらに有することが好ましい。
【００２８】
ところで、後述する図１に示すように、浴室壁面に配設したシャワーヘッド係止具９０にシャワーヘッドを固定した場合には、シャワーヘッドが略鉛直方向に立った状態となることから、水圧によってシャワーヘッド固定具からシャワーヘッドが外れることはほとんどないが、本考案の浴用浄水器システムにおいては、シャワーヘッド固定具によってシャワーヘッドを浴室壁面、浴槽内壁面、浴槽縁天面及び浴槽外壁面に固定した場合、後述する図５に示すように、シャワーヘッドが略水平方向に寝た状態となってしまうため、水流を強くしすぎると、水圧によってシャワーヘッド固定具からシャワーヘッドが外れてしまう可能性がある。しかしながら、上記のように構成することにより、把持部が備える弾性力でもってシャワーヘッドの一部を強固に把持することができるため、シャワーヘッドからストレート状の水が吐出される場合であっても、シャワーヘッド固定具からシャワーヘッドが外れてしまうのを抑制することが可能となる。
【００２９】
（１０）本考案の浴用浄水器システムにおいては、前記浄水経路には、浄水カートリッジ又は浄活水カートリッジが設置されていることが好ましい。
【００３０】
このように構成することにより、浄水カートリッジ又は浄活水カートリッジにより浄化された浄水又はミネラル分を含有する浄活水を使用することが可能となる。また、浄水カートリッジ又は浄活水カートリッジの浄化性能が低下した場合、新しい浄水カートリッジ又は浄活水カートリッジと取り替えることによって、浄水又は浄活水を継続して使用することが可能となる。
【００３１】
（１１）本考案のシャワーヘッドは、原水が供給される給水口、シャワー接続口及び前記給水口と前記シャワー接続口との間の経路に配置され前記給水口から供給される原水を浄水にする浄水機構を有する浴用浄水器と、前記シャワー接続口に接続されるシャワーホースと、前記シャワーホースの端部に接続されるシャワーヘッドとを備える浴用浄水器システムに用いるシャワーヘッドであって、前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換える吐出形態切換機構とを有することを特徴とする。
【００３２】
このため、本考案のシャワーヘッドによれば、身体を洗ったり洗髪したりするときなど、シャワー状の浄水を使用したい場合には、吐出形態切換機構を操作して浴用浄水器からの水の経路をシャワー吐出口の方に切り換えることにより、シャワー状の浄水を使用することができる。また、浴槽に湯を張るときなど、ストレート状の浄水を使用したい場合には、吐出形態切換機構を操作して浴用浄水器からの水の経路をストレート吐出口の方に切り換えることにより、ストレート状の浄水を使用することができる。
また、本考案のシャワーヘッドを上記の構成からなる浴用浄水器システムに用いることによって、従来の浴用浄水器システムにあった給水ホースを無くすことができるため、本考案のシャワーヘッドを浴用浄水器システムに用いた場合における使い勝手を向上することが可能となる。
【００３３】
なお、本考案のシャワーヘッドにおいては、吐出形態切換機構として、例えば、シャワーヘッドのヘッド部を回転することにより浴用浄水器からの水の経路をシャワー吐出口又はストレート吐出口のいずれか一方に切り換える機構や、切換レバー又は切換ボタンを操作することにより浴用浄水器からの水の経路をシャワー吐出口又はストレート吐出口のいずれか一方に切り換える機構などを用いることができるが、これらいずれの機構を用いた場合であっても、吐出形態を切り換える作業が煩雑になることもなく、シャワーヘッドに吐出形態切換機構を設けたことによって使い勝手が悪くなってしまうこともない。
【００３４】
（１２）本考案のシャワーヘッド固定具は、原水が供給される給水口、シャワー接続口及び前記給水口と前記シャワー接続口との間の経路に配置され前記給水口から供給される原水を浄水にする浄水機構を有する浴用浄水器と、前記シャワー接続口に接続されるシャワーホースと、前記シャワーホースの端部に接続されるシャワーヘッドと、前記シャワーヘッドを所定姿勢で固定するためのシャワーヘッド固定具とを備え、前記シャワーヘッドが、前記浴用浄水器からの水をシャワー状にして吐出するためのシャワー吐出口と、前記浴用浄水器からの水をストレート状にして吐出するためのストレート吐出口と、前記浴用浄水器からの水の経路を前記シャワー吐出口又は前記ストレート吐出口のいずれか一方に切り換えるための吐出形態切換機構とを有する浴用浄水器システムに用いるシャワーヘッド固定具であって、浴室壁面、浴槽内壁面、浴槽縁天面及び浴槽外壁面のいずれに取り付けたときにも、前記シャワーヘッドからの水が浴槽内に注がれるように前記シャワーヘッドの姿勢を調整可能に構成されていることを特徴とする。
【００３５】
浴室内に設けられた既存のシャワーヘッド係止具にシャワーヘッドを係止させた場合、シャワーヘッド係止具と浴槽との位置関係によってはシャワーヘッドからの水が浴槽内に正しく注がれないこともある。しかしながら、本考案のシャワーヘッド固定具を浴室壁面、浴槽内壁面、浴槽縁天面又は浴槽外壁面に取り付けてシャワーヘッドを所定姿勢で固定することにより、シャワーヘッド係止具と浴槽との位置関係によらず、シャワーヘッドからの水を浴槽内に正しく注ぐことが可能となる。
【００３６】
（１３）本考案のシャワーヘッド固定具においては、浴室壁面、浴槽内壁面、浴槽縁天面及び浴槽外壁面のいずれに取り付けたときにも、前記シャワーヘッドのヘッド面中心における法線が鉛直方向に対して６０度以内の角度となるように、前記シャワーヘッドの姿勢を調整可能に構成されていることが好ましい。
【００３７】
本考案のシャワーヘッド固定具を上記の構成からなる浴用浄水器システムに用いることにより、浴室壁面、浴槽内壁面、浴槽縁天面及び浴槽外壁面のいずれに取り付けたときにも、シャワーヘッドから出る水の向きを比較的下方向にすることができるため、シャワーヘッドからの水が浴槽の外に出てしまうのを抑制することが可能となり、使い勝手を向上することが可能となる。
【００３８】
（１４）〜（１６）本考案のシャワーヘッド固定具においては、１つの回動軸を有することが好ましく、所定間隔をもって離隔して配置された２つの回動軸を有すること又は所定の剛性を有し屈曲自在なフレキシブル部を有することがより好ましい。
【００３９】
このように構成することにより、シャワーヘッド固定具を浴室壁面、浴槽内壁面、浴槽縁天面及び浴槽外壁面のいずれに取り付けたときにも、シャワーヘッドからの水が浴槽内に正しく注がれるようにシャワーヘッドの姿勢を比較的容易に調整することが可能となる。
【００４０】
なお、シャワーヘッド固定具が２つの回動軸を有する場合及び上述のフレキシブル部を有する場合は、シャワーヘッド固定具が１つの回動軸を有する場合に比べ、シャワーヘッドの姿勢をさらに容易に調整することが可能となる。
【００４１】
（１７）本考案のシャワーヘッド固定具においては、浴室壁面、浴槽内壁面、浴槽縁天面又は浴槽外壁面に取り付けるための吸盤部をさらに有することが好ましい。
【００４２】
このように構成することにより、シャワーヘッド固定具を比較的容易に着脱することができるため、浴室壁面、浴槽内壁面、浴槽縁天面及び浴槽外壁面における希望する位置にシャワーヘッドを固定することが可能となる。
【００４３】
（１８）本考案のシャワーヘッド固定具においては、前記シャワーヘッドの一部を弾性力で把持することにより、前記シャワーヘッドを所定姿勢で固定可能とする把持部をさらに有することが好ましい。
【００４４】
このように構成することにより、把持部が備える弾性力でもってシャワーヘッドの一部を強固に把持することができるため、シャワーヘッドからストレート状の水が吐出される場合であっても、シャワーヘッド固定具からシャワーヘッドが外れてしまうのを抑制することが可能となる。
【考案を実施するための最良の形態】
【００４５】
以下、本考案の浴用浄水器システム、シャワーヘッド及びシャワーヘッド固定具について、図に示す実施の形態に基づいて説明する。
【００４６】
［実施形態１］
まず、実施形態１に係る浴用浄水器システム１の構成について、図１〜図５を用いて説明する。
【００４７】
図１は、実施形態１に係る浴用浄水器システム１を説明するために示す図である。
図２は、浴用浄水器１０内を通る水の流れを説明するために示す図である。図２（ａ）は浴用浄水器１０内を通る水の経路を浄水経路５０に切り換えたときの、浴用浄水器１０の切換レバー４２を正面から見た図であり、図２（ｂ）はそのときの浴用浄水器１０内を通る水の流れを模式的に示す図であり、図２（ｃ）は浴用浄水器１０内を通る水の経路を原水経路５２に切り換えたときの、浴用浄水器１０の切換レバー４２を正面から見た図であり、図２（ｄ）はそのときの浴用浄水器１０内を通る水の流れを模式的に示す図である。図２（ｂ）及び図２（ｄ）中の矢印は、水の流れを模式的に示している。
【００４８】
図３は、実施形態１に係るシャワーヘッド７０を説明するために示す図である。図３（ａ）はシャワーヘッド７０の斜視図であり、図３（ｂ）はシャワー状の浄水を吐出するときの様子を示す図であり、図３（ｃ）はストレート状の浄水を吐出するときの様子を示す図である。
【００４９】
図４は、実施形態１に係るシャワーヘッド固定具１００の斜視図である。
図５は、実施形態１に係るシャワーヘッド固定具１００を説明するために示す図である。図５（ａ）はシャワーヘッド７０を浴室壁面ＢＲに固定させたときの様子を示す図であり、図５（ｂ）は図５（ａ）の符号Ａで示す部分の拡大図であり、図５（ｃ）はシャワーヘッド７０を浴槽Ｂの内壁面に固定させたときの様子を示す図であり、図５（ｄ）はシャワーヘッド７０を浴槽Ｂの縁天面（リム上面）に固定させたときの様子を示す図であり、図５（ｅ）はシャワーヘッド７０を浴槽Ｂの外壁面に固定させたときの様子を示す図である。
【００５０】
実施形態１に係る浴用浄水器システム１は、図１に示すように、浴用浄水器１０と、シャワーホース６０と、シャワーホース６０の端部に接続されるシャワーヘッド７０と、シャワーヘッド７０を所定姿勢で固定するためのシャワーヘッド固定具１００とを備える。
【００５１】
浴用浄水器１０は、筐体２０と、原水が供給される給水口２２と、シャワーホース７０が接続されるシャワー接続口２４と、給水口２２とシャワー接続口２４との間の経路に配置され、給水口２２から供給される原水を浄水（浄活水）にする浄水機構３０と、給水口２２から供給される原水を浄水機構３０を通過させて浄水の状態でシャワーホース６０に送るための浄水経路５０と、給水口２２から供給される原水を原水のままの状態でシャワーホース６０に向けて送るための原水経路５２と、浄水経路５０及び原水経路５２並びにシャワー接続口２４に接続され、浴用浄水器１０内を通る水の経路を浄水経路５０又は原水経路５２のいずれか一方に切り換える導水経路切換機構４０とを有する。
【００５２】
なお、図示による説明を一部省略するが、浴用浄水器１０の給水口２２には連結ホース９２が接続されており、連結ホース９２の他端は、浴室の水栓のシャワー給水口に接続されている。
【００５３】
浄水機構３０は、浄活水カートリッジ３２を有する。浄活水カートリッジ３２は、浄水部３４と、活水部３６とを有する。
浄水部３４は、例えば不織布を多層に巻き付けてなるフィルター構造を有し、活性炭等が充填されている。活水部３６には、セラミックスが充填されている。当該セラミックスの材料としては、目的とする用途によって種々の材料の中から適宜選択可能である。
【００５４】
導水経路切換機構４０は、例えば円筒状の部材からなり、浄水経路５０に通じる浄水経路側開口部と原水経路５２に通じる原水経路側開口部とが周方向にずれて形成されている。導水経路切換機構４０は、切換レバー４２に接続されているため、切換レバー４２を図２（ａ）に示すように浄水側に回すと、浄水経路５０が開放されるとともに原水経路５２が閉じる結果、シャワーホース６０に向けて浄水が送られることとなる（図２（ｂ）参照。）。また、切換レバー４２を図２（ｃ）に示すように原水側に回すと、浄水経路５０が閉じるとともに原水経路５２が開放される結果、シャワーホース６０に向けて原水が送られることとなる（図２（ｄ）参照。）。
【００５５】
シャワーヘッド７０は、図３（ａ）に示すように、ヘッド部７２と、胴体部７６と、シャワーホース６０に接続されるシャワーホース接続部７８とを有する。ヘッド部７２のヘッド面７４には、浴用浄水器１０からの水をシャワー状にして吐出するためのシャワー吐出口８０と、浴用浄水器１０からの水をストレート状にして吐出するためのストレート吐出口８２とが設けられている。ストレート吐出口８２はヘッド面７４の中心部に設けられ、シャワー吐出口８０はヘッド面７４におけるストレート吐出口８２の周囲に放射状に設けられている。また、図示による説明を省略するが、シャワーヘッド７０内には、浴用浄水器１０からの水の経路をシャワー吐出口８０又はストレート吐出口８２のいずれか一方に切り換えるための吐出形態切換機構が設けられている。ヘッド部７２は、ヘッド面７４の中心（ストレート吐出口８２）を軸として回転可能に構成されている。
【００５６】
実施形態１に係る浴用浄水器システム１においては、吐出形態切換機構として、シャワーヘッド７０のヘッド部７２を回転することにより浴用浄水器１０からの水の経路をシャワー吐出口８０又はストレート吐出口８２のいずれか一方に切り換える機構を用いている。すなわち、身体を洗ったり洗髪したりするときなど、シャワー状の浄水を使用したい場合には、ヘッド部７２を回転して図３（ｂ）に示す状態にすることにより、浴用浄水器１０からの水の経路がシャワー吐出口８０の方に切り換えられて、シャワー状の水が吐出するようになる。また、浴槽に湯を張るときなど、ストレート状の浄水を使用したい場合には、ヘッド部７２を回転して図３（ｃ）に示す状態にすることにより、浴用浄水器１０からの水の経路がストレート吐出口８２の方に切り換えられて、ストレート状の水が吐出するようになる。
【００５７】
シャワーヘッド固定具１００は、図４に示すように、シャワーヘッド７０を把持する把持部１１０と、第１回動軸１２０ａを有する第１軸部１２０と、第２回動軸１２２ａを有する第２軸部１２２と、第１軸部１２０と第２軸部１２２とを繋ぐ板状部材１２４と、台座部１３０と、台座部１３０の下面に配置される吸盤部１３２とを有する。
【００５８】
把持部１１０は、シャワーヘッド７０の一部（胴体部７６）を、例えばバネ等による弾性力で把持する構成を有する。これにより、シャワーヘッド７０を所定姿勢で固定することが可能となる。
【００５９】
第１軸部１２０は、把持部１１０と接続されており、第２軸部１２２は、台座部１３０上に固定されている。板状部材１２４は、第１回動軸１２０ａを中心として回動可能に構成されているとともに、第２回動軸１２２ａを中心として回動可能に構成されている。第１回動軸１２０ａと第２回動軸１２２ａとは、例えば３０ｍｍ以上離隔して設けられている。
【００６０】
吸盤部１３２は、図示による説明を省略するが、浴室壁面ＢＲ、浴槽Ｂの内壁面、浴槽Ｂの縁天面（リム上面）又は浴槽Ｂの外壁面に取り付けるための１つ又は複数の吸盤を有する。
【００６１】
シャワーヘッド固定具１００は、図５に示すように、浴室壁面ＢＲ、浴槽Ｂの内壁面、浴槽Ｂの縁天面（リム上面）及び浴槽Ｂの外壁面のいずれに取り付けたときにも、シャワーヘッド７０からの水が浴槽Ｂ内に注がれるようにシャワーヘッド７０の姿勢を調整可能に構成されている。具体的には、例えば図５（ａ）に示すようにシャワーヘッド固定具１００を浴室壁面ＢＲに取り付けたときに、シャワーヘッド７０のヘッド面７４中心における法線Ｎと鉛直方向（図５（ｂ）中に示す１点鎖線Ｖ）とのなす角度θが６０度以内の角度となるように、シャワーヘッド７０の姿勢を調整可能に構成されている。シャワーヘッド固定具１００を浴槽Ｂの内壁面、浴槽Ｂの縁天面（リム上面）又は浴槽Ｂの外壁面に取り付けたときも同様である。
【００６２】
次に、実施形態１の比較例に係る浴用浄水器システム９００の構成について、図６及び図７を用いて説明する。
【００６３】
図６は、比較例に係る浴用浄水器システム９００を説明するために示す図である。
図７は、浴用浄水器９１０内を通る水の流れを説明するために示す図である。図７（ａ）は浴用浄水器９１０内を通る水の経路を浄水経路９５０で、かつ、給水ホース９６２を通る経路に切り換えたときの、浴用浄水器９１０の切換レバー９４２を正面から見た図であり、図７（ｂ）はそのときの浴用浄水器９１０内を通る水の流れを模式的に示す図であり、図７（ｃ）は浴用浄水器９１０内を通る水の経路を浄水経路９５０で、かつ、シャワーホース９６０を通る経路に切り換えたときの、浴用浄水器９１０の切換レバー９４２を正面から見た図であり、図７（ｄ）はそのときの浴用浄水器９１０内を通る水の流れを模式的に示す図であり、図７（ｅ）は浴用浄水器９１０内を通る水の経路を原水経路９５２で、かつ、シャワーホース９６０を通る経路に切り換えたときの、浴用浄水器９１０の切換レバー９４２を正面から見た図であり、図７（ｆ）はそのときの浴用浄水器９１０内を通る水の流れを模式的に示す図である。図７（ｂ）、図７（ｄ）及び図７（ｆ）中の矢印は、水の流れを模式的に示している。
【００６４】
比較例に係る浴用浄水器システム９００は、基本的には従来の浴用浄水器システムと同様の構成を有しており、実施形態１に係る浴用浄水器システム１とは、（ア）ストレート状の水を吐出する給水ホースを備え、（イ）シャワーヘッドが吐出形態切換機構を備えておらず、（ウ）３つの開口部（２穴×１穴）を有する導水経路切換機構に代えて、４つの開口部（２穴×２穴）を有する導水経路切換機構を備えている点で、少なくとも異なる。
【００６５】
すなわち、比較例に係る浴用浄水器システム９００は、図６に示すように、浴用浄水器９１０と、浴用浄水器９１０に接続されるシャワーホース９６０と、シャワーホース９６０の端部に接続されるシャワーヘッド９７０と、浴槽に給水するための給水ホース９６２と、給水ホース９６２の端部に接続される吐水部９６４とを備える。なお、ここでは図示による説明を省略するが、シャワーヘッド９７０のヘッド部には、浴用浄水器９１０からの水をシャワー状にして吐出するためのシャワー吐出口のみが設けられている。
【００６６】
浴用浄水器９１０は、筐体９２０と、原水が供給される給水口９２２と、シャワーホース９６０が接続されるシャワー接続口９２４と、給水ホース９６２が接続される給水ホース接続口９２６と、給水口９２２から供給される原水を浄水（浄活水）にする浄水機構９３０と、給水口９２２から供給させる原水を浄水機構９３０を通過させて浄水の状態でシャワーホース９６０又は給水ホース９６２に向けて送るための浄水経路９５０と、給水口９２２から供給される原水を原水のままの状態でシャワーホース９６０又は給水ホース９６２に向けて送るための原水経路９５２と、浄水経路９５０を通る浄水又は原水経路９５２を通る原水をシャワーホース９６０又は給水ホース９６２のいずれに向けて送るか切り換えるための導水経路切換機構と９４０を有する。
なお、浴用浄水器９１０としては、例えば、株式会社アルソア本社製、「コチャママ  バスジョイ（登録商標）  ＣＦＪ−７００」を用いている。
【００６７】
導水経路切換機構９４０は、例えば円筒状の部材からなり、浄水経路９５０に通じる浄水経路側開口部と原水経路５２に通じる原水経路側開口部とが周方向にずれて形成されているとともに、シャワー接続口９２４に通じるシャワー接続口側開口部と給水ホース接続口９２６に通じる給水ホース接続口側開口部とが同じく周方向にずれて形成されている。
【００６８】
導水経路切換機構９４０は、切換レバー９４２に接続されているため、切換レバー９４２を図７（ａ）に示すように浄水／ストレート側に回すと、浄水経路側開口部と給水ホース接続口側開口部とが開いて、原水経路側開口部とシャワー接続口側開口部とが閉じた状態となり、浄水経路９５０と給水ホース接続口９２６とが繋がった状態となる結果、給水ホース９６２に向けて浄水が送られることとなる（図７（ｂ）参照。）。また、切換レバー９４２を図７（ｃ）に示すように浄水／シャワー側に回すと、浄水経路側開口部とシャワー接続口側開口部とが開いて、原水経路側開口部と給水ホース接続口側開口部とが閉じた状態となり、浄水経路９５０とシャワー接続口９２４とが繋がった状態となる結果、シャワーホース９６０に向けて浄水が送られることとなる（図７（ｄ）参照。）。また、切換レバー９４２を図７（ｅ）に示すように原水／シャワー側に回すと、原水経路側開口部とシャワー接続口側開口部とが開いて、浄水経路側開口部と給水ホース接続口側開口部とが閉じた状態となり、原水経路９５２とシャワー接続口９２４とが繋がった状態となる結果、シャワーホース９６０に向けて原水が送られることとなる（図７（ｆ）参照。）。
【００６９】
これにより、浴槽に湯を張るときなど、ストレート状の浄水を使用したい場合には、図７（ａ）のように切換レバー９４２を浄水／ストレートに切り換えることにより、ストレート状の浄水を使用することができる。また、身体を洗ったり洗髪したりするときなど、シャワー状の浄水を使用したい場合には、図７（ｃ）のように切換レバー９４２を浄水／シャワーに切り換えることにより、シャワー状の浄水を使用することができる。また、浴室を清掃するときなど、シャワー状の原水を使用したい場合には、図７（ｅ）のように切換レバー９４２を原水／シャワーに切り換えることにより、シャワー状の原水を使用することができる。
【００７０】
しかしながら、比較例に係る浴用浄水器システム９００においては、浴用浄水器９１０にはシャワーホース９６０と給水ホース９６２の２本のホースが接続されているため、一方のホースを使用する際に他方のホースの存在が邪魔になってしまい、使い勝手が良くない。
【００７１】
これに対し、実施形態１に係る浴用浄水器システム１によれば、上記の構成からなるシャワーヘッド７０を備えているため、身体を洗ったり洗髪したりするときなど、シャワー状の浄水を使用したい場合には、吐出形態切換機構を操作して浴用浄水器１０からの水の経路をシャワー吐出口８０の方に切り換えることにより、シャワー状の浄水を使用することができる。また、浴槽に湯を張るときなど、ストレート状の浄水を使用したい場合には、吐出形態切換機構を操作して浴用浄水器１０からの水の経路をストレート吐出口８２の方に切り換えることにより、ストレート状の浄水を使用することができる。
また、実施形態１に係る浴用浄水器システム１によれば、比較例に係る浴用浄水器システム９００のような給水ホース９６２が無くても、ストレート状の浄水を使用することができる。つまり、比較例に係る浴用浄水器システム９００における給水ホース９６２側の吐水部９６４が有していた機能（ストレート状の浄水を吐出する機能）とシャワーヘッド９７０が有していた機能（シャワー状の浄水を吐出する機能）とを、シャワーヘッド７０に集約させて、比較例に係る浴用浄水器システム９００にあった給水ホース９６２を無くすことができるため、比較例に係る浴用浄水器システム９００のように一方のホースを使用する際に他方のホースの存在が邪魔になることもない。その結果、使い勝手を向上することが可能となる。
【００７２】
また、実施形態１に係る浴用浄水器システム１においては、吐出形態切換機構として、シャワーヘッド７０のヘッド部７２を回転することにより浴用浄水器１０からの水の経路をシャワー吐出口８０又はストレート吐出口８２のいずれか一方に切り換える機構を用いているため、吐出形態を切り換える作業が煩雑になることもなく、シャワーヘッド７０に吐出形態切換機構を設けたことによって使い勝手が悪くなってしまうこともない。
【００７３】
したがって、実施形態１に係る浴用浄水器システム１は、シャワー状の浄水とストレート状の浄水の両方を使用することが可能な構成としつつ、使い勝手を向上することが可能な浴用浄水器システムとなる。
【００７４】
また、実施形態１に係る浴用浄水器システム１によれば、給水ホースを無くすことができるため、比較例に係る浴用浄水器システム９００（従来の浴用浄水器システム）の場合よりも製造コストを低減することが可能となるという効果もある。
【００７５】
実施形態１に係る浴用浄水器システム１においては、浴用浄水器１０は、浄水経路５０と原水経路５２との２系統の経路を備える浴用浄水器であって、浴用浄水器１０内を通る水の経路を浄水経路５０又は原水経路５２のいずれか一方に切り換える導水経路切換機構４０をさらに有するため、シャワー状の浄水及びストレート状の浄水を使用することができるのに加え、シャワー状の原水及びストレート状の原水を使用することができ、使用用途に幅広く応じることが可能で使い勝手の良い浴用浄水器システムとなる。
【００７６】
また、実施形態１に係る浴用浄水器システム１によれば、上述したように、シャワーヘッド７０に浄水機構が配設されておらず、シャワーヘッド７０に吐出形態切換機構が設けられ、浴用浄水器１０に導水経路切換機構４２が設けられているため、シャワーヘッド７０の重量を軽くすることができ、使用者にとっての扱いづらさを軽減することが可能となる。また、シャワーヘッド７０には１つの切換機構（吐出形態切換機構）しか設けられていないことから、構造が複雑になることもなくなり、製造コストを低減することが可能となる。また、シャワーヘッド７０にではなく浴用浄水器１０内に浄水機構３０が配設されているため、所定の浄化能力を発揮することが可能となる。
【００７７】
浴室内に設けられた既存のシャワーヘッド係止具９０にシャワーヘッド７０を係止させた場合、シャワーヘッド係止具９０と浴槽との位置関係によってはシャワーヘッド７０からの水が浴槽内に正しく注がれないこともある。しかしながら、実施形態１に係る浴用浄水器システム１によれば、浴室壁面ＢＲ、浴槽Ｂの内壁面、浴槽Ｂの縁天面（リム上面）又は浴槽Ｂの外壁面にシャワーヘッド固定具１００を取り付けてシャワーヘッド７０を所定姿勢で固定することにより、シャワーヘッド係止具９０と浴槽との位置関係によらず、シャワーヘッド７０からの水を浴槽内に正しく注ぐことが可能となる。
【００７８】
実施形態１に係る浴用浄水器システム１において、吐出形態切換機構によってシャワーヘッド７０から吐出される水の形態をストレート状にして浴槽に湯を張る場合、仮に、図５（ｄ）に示すように浴槽Ｂの縁天面（リム上面）に取り付けたときに、シャワーヘッド７０のヘッド面７４中心における法線Ｎが鉛直方向に対して６０度を超える角度となるようにシャワーヘッド７０を固定すると、水流を弱くしなければシャワーヘッド７０からの水が浴槽Ｂの外に出てしまい、非常に使い勝手の悪い浴用浄水器システムとなりかねない。
これに対し、実施形態１に係る浴用浄水器システム１によれば、上記の構成からなるシャワーヘッド固定具１００を備えるため、図５に示すように、浴室壁面ＢＲ、浴槽Ｂの内壁面、浴槽Ｂの縁天面（リム上面）及び浴槽Ｂの外壁面のいずれに取り付けたときにも、シャワーヘッド７０から出る水の向きを比較的下方向にすることができ、シャワーヘッド７０からの水が浴槽Ｂの外に出てしまうのを抑制することが可能となる。その結果、使い勝手を向上することが可能となる。
【００７９】
実施形態１に係る浴用浄水器システム１においては、シャワーヘッド固定具１００は、３０ｍｍ以上離隔して設けられた２つの回動軸（第１回動軸１２０ａ及び第２回動軸１２２ａ）を有するため、シャワーヘッド固定具１００を浴室壁面ＢＲ、浴槽Ｂの内壁面、浴槽Ｂの縁天面及び浴槽Ｂの外壁面のいずれに取り付けたときにも、シャワーヘッド７０からの水が浴槽Ｂ内に正しく注がれるようにシャワーヘッド７０の姿勢を比較的容易に調整することが可能となる。
【００８０】
実施形態１に係る浴用浄水器システム１においては、シャワーヘッド固定具１００は、浴室壁面、浴槽内壁面、浴槽縁天面又は浴槽外壁面に取り付けるための吸盤部１３２をさらに有する。これにより、シャワーヘッド固定具１００を比較的容易に着脱することができるため、浴室壁面、浴槽内壁面、浴槽縁天面及び浴槽外壁面における希望する位置にシャワーヘッド７０を固定することが可能となる。
【００８１】
実施形態１に係る浴用浄水器システム１においては、シャワーヘッド固定具１００は、シャワーヘッド７０の一部を弾性力で把持することにより、シャワーヘッド７０を所定姿勢で固定可能とする把持部１１０をさらに有する。
【００８２】
ところで、図１に示すように浴室壁面に配設したシャワーヘッド係止具９０にシャワーヘッド７０を固定した場合には、シャワーヘッド７０が略鉛直方向に立った状態となることから、水圧によってシャワーヘッド固定具１００からシャワーヘッド７０が外れることはほとんどないが、実施形態１に係る浴用浄水器システム１においては、シャワーヘッド固定具１００によってシャワーヘッド７００を浴室壁面、浴槽内壁面、浴槽縁天面及び浴槽外壁面に固定した場合、図５に示すように、シャワーヘッド７０が略水平方向に寝た状態となってしまうため、水流を強くしすぎると、水圧によってシャワーヘッド固定具１００からシャワーヘッド７０が外れてしまう可能性がある。しかしながら、実施形態１に係る浴用浄水器システム１によれば、把持部１１０が備える弾性力でもってシャワーヘッド７０の一部を強固に把持することができるため、シャワーヘッド７０からストレート状の水が吐出される場合であっても、シャワーヘッド固定具１００からシャワーヘッド７０が外れてしまうのを抑制することが可能となる。
【００８３】
実施形態１に係る浴用浄水器システム１においては、浄水経路５０には、浄活水カートリッジ３２が設置されているため、浄活水カートリッジ３２により浄化され、かつ、ミネラル分を含有する浄活水を使用することが可能となる。また、浄活水カートリッジ３２の浄化性能が低下した場合、新しい浄活水カートリッジと取り替えることによって、浄活水を継続して使用することが可能となる。
【００８４】
実施形態１に係るシャワーヘッド７０は、上記した浴用浄水器システム１に用いるシャワーヘッドであって、浴用浄水器１０からの水をシャワー状にして吐出するためのシャワー吐出口８０と、浴用浄水器１０からの水をストレート状にして吐出するためのストレート吐出口８２と、浴用浄水器１０からの水の経路をシャワー吐出口８０又はストレート吐出口８２のいずれか一方に切り換える吐出形態切換機構とを有する。
【００８５】
このため、実施形態１に係るシャワーヘッド７０によれば、身体を洗ったり洗髪したりするときなど、シャワー状の浄水を使用したい場合には、吐出形態切換機構を操作して浴用浄水器１０からの水の経路をシャワー吐出口８０の方に切り換えることにより、シャワー状の浄水を使用することができる。また、浴槽に湯を張るときなど、ストレート状の浄水を使用したい場合には、吐出形態切換機構を操作して浴用浄水器１０からの水の経路をストレート吐出口８２の方に切り換えることにより、ストレート状の浄水を使用することができる。
また、実施形態１に係るシャワーヘッド７０を上記の構成からなる浴用浄水器システム１に用いることによって、比較例に係る浴用浄水器システム９００にあった給水ホース９６２を無くすことができるため、実施形態１に係るシャワーヘッド７０を浴用浄水器システム１に用いた場合における使い勝手を向上することが可能となる。
【００８６】
なお、実施形態１に係るシャワーヘッド７０においては、吐出形態切換機構として、シャワーヘッド７０のヘッド部７２を回転することにより浴用浄水器１０からの水の経路をシャワー吐出口８０又はストレート吐出口８２のいずれか一方に切り換える機構を用いているため、吐出形態を切り換える作業が煩雑になることもなく、シャワーヘッド７０に吐出形態切換機構を設けたことによって使い勝手が悪くなってしまうこともない。
【００８７】
実施形態１に係るシャワーヘッド固定具１００は、上記した浴用浄水器システム１に用いるシャワーヘッド固定具であって、浴室壁面、浴槽内壁面、浴槽縁天面及び浴槽外壁面のいずれに取り付けたときにも、シャワーヘッド７０からの水が浴槽内に注がれるようにシャワーヘッド７０の姿勢を調整可能に構成されている。これにより、シャワーヘッド係止具９０と浴槽との位置関係によらず、シャワーヘッド７０からの水を浴槽内に正しく注ぐことが可能となる。
【００８８】
［実施形態２］
図８は、実施形態２に係る浴用浄水器システム２を説明するために示す図である。なお、図８において、図１と同一の部材については同一の符号を付し、詳細な説明は省略する。
【００８９】
実施形態２に係る浴用浄水器システム２は、基本的には実施形態１に係る浴用浄水器システム１と同様の構成を備えるが、浴用浄水器の構成が、実施形態１に係る浴用浄水器システム１とは異なる。
【００９０】
すなわち、実施形態２に係る浴用浄水器システム２においては、図８に示すように、浴用浄水器２１０は、給水口２２２から供給される原水を浄水機構２３０を通過させて浄水の状態でシャワーホース６０に送るための浄水経路２５０からなる１系統の経路を備える浴用浄水器であって、実施形態１で説明した導水経路切換機構を有していない。
【００９１】
このように、実施形態２に係る浴用浄水器システム２は、実施形態１に係る浴用浄水器システム１とは、浴用浄水器の構成が異なるが、実施形態１に係る浴用浄水器システム１の場合と同様に、吐出形態切換機構を有するシャワーヘッド７０を備えているため、シャワー状の浄水とストレート状の浄水の両方を使用することが可能となる。また、実施形態２に係る浴用浄水器システム２においても、実施形態１に係る浴用浄水器システム１の場合と同様に、ストレート状の浄水を吐出する機能とシャワー状の浄水を吐出する機能とを、シャワーヘッド７０に集約させて、従来の浴用浄水器システムにあった給水ホースを無くすことができるため、従来の浴用浄水器システムのように一方のホースを使用する際に他方のホースの存在が邪魔になることもない。その結果、使い勝手を向上することが可能となる。
【００９２】
また、実施形態２に係る浴用浄水器システム２によれば、実施形態１に係る浴用浄水器システム１の場合と同様に、給水ホースを無くすことができるため、従来の浴用浄水器システムの場合よりも製造コストを低減することが可能となるという効果もある。
【００９３】
実施形態２に係る浴用浄水器システム２は、浴用浄水器の構成が異なる点以外の点では、実施形態１に係る浴用浄水器システム１と同様の構成を備えるため、実施形態１に係る浴用浄水器システム１が有する効果のうち該当する効果をそのまま有する。
【００９４】
以上、本考案の浴用浄水器システム、シャワーヘッド及びシャワーヘッド固定具を上記の各実施形態に基づいて説明したが、本考案は、これに限定されるものではなく、その要旨を逸脱しない範囲において実施することが可能であり、例えば、次のような変形も可能である。
【００９５】
（１）上記各実施形態においては、シャワーヘッドの吐出形態切換機構として、シャワーヘッドのヘッド部を回転することにより浴用浄水器からの水の経路をシャワー吐出口又はストレート吐出口のいずれか一方に切り換える機構を例示して説明したが、本考案はこれに限定されるものではなく、例えば、切換レバー又は切換ボタンを操作することにより浴用浄水器からの水の経路をシャワー吐出口又はストレート吐出口のいずれか一方に切り換える機構などを用いることもできる。
【００９６】
（２）上記各実施形態においては、浄水経路に、浄活水カートリッジを設置する場合を例示して説明したが、本考案はこれに限定されるものではなく、浄水カートリッジを設置してもよい。
【００９７】
（３）上記各実施形態においては、シャワーヘッド固定具として、所定間隔をもって離隔して配置された２つの回動軸を有するシャワーヘッド固定具を例示して説明したが、本発明はこれに限定されるものではない。例えば、１つの回動軸を有するシャワーヘッド固定具を用いてもよい。この場合は、回動軸から把持部までの距離を長くすることがより好ましい。また、所定の剛性を有し屈曲自在なフレキシブル部を有するシャワーヘッド固定具を用いてもよい。当該フレキシブル部としては、フレキシブルホースなどを例示することができる。
【００９８】
（４）上記各実施形態においては、シャワーヘッド固定具として、シャワーヘッドの一部をバネによる弾性力で把持するシャワーヘッド固定具を例示して説明したが、本考案はこれに限定されるものではない。図４に示すようなクリップ式の把持部以外の他の手段からなる把持部でもってシャワーヘッドの一部を把持するシャワーヘッド固定具を用いてもよい。
【００９９】
（５）上記各実施形態において、身体を洗ったり洗髪したりするときなどに、シャワーヘッドを浴室壁面等に固定する場合には、壁面に設置したシャワーヘッド係止具にシャワーヘッドを固定してもよいし、本考案のシャワーヘッド固定具１００を用いてシャワーヘッドを固定してもよい。
【図面の簡単な説明】
【０１００】
【図１】実施形態１に係る浴用浄水器システム１を説明するために示す図。
【図２】浴用浄水器１０内を通る水の流れを説明するために示す図。
【図３】実施形態１に係るシャワーヘッド７０を説明するために示す図。
【図４】実施形態１に係るシャワーヘッド固定具１００の斜視図。
【図５】実施形態１に係るシャワーヘッド固定具１００を説明するために示す図。
【図６】比較例に係る浴用浄水器システム９００を説明するために示す図。
【図７】浴用浄水器９１０内を通る水の流れを説明するために示す図。
【図８】実施形態２に係る浴用浄水器システム２を説明するために示す図。
【符号の説明】
【０１０１】
１，２，９００…浴用浄水器システム、１０，２１０，９１０…浴用浄水器、２０，２２０，９２０…浴用浄水器、２２，２２２，９２２…給水口、２４，２２４，９２４…シャワー接続口、３０，２３０，９３０…浄水機構、３２，２３２，９３２…浄活水カートリッジ、３４，２３４，９３４…浄水部、３６，２３６，９３６…活水部、４０，９４０…導水経路切換機構、４２，９４２…切換レバー、５０，２５０，９５０…浄水経路、５２，９５２…原水経路、６０，９６０…シャワーホース、７０，９７０…シャワーヘッド、７２…ヘッド部、７４…ヘッド面、７６…胴体部、７８…シャワーホース接続部、８０…シャワー吐出口、８２…ストレート吐出口、９０，９９０…シャワーヘッド係止具、９２…連結ホース、１００…シャワーヘッド固定具、１１０…把持部、１２０…第１軸部、１２０ａ…第１回動軸、１２２…第２軸部、１２２ａ…第２回動軸、１２４…板状部材、１３０…台座部、１３２…吸盤部、９２６…給水ホース接続口、９６２…給水ホース、９６４…吐水部、Ｂ…浴槽、ＢＲ…浴室壁面
【図１】
0003135351.tif 000003
【図３】
0003135351.tif 000004
【図４】
0003135351.tif 000005
【図５】
0003135351.tif 000006
【図６】
0003135351.tif 000007
【図８】
0003135351.tif 000008
【図２】
0003135351.tif 000009
【図７】
0003135351.tif 000010